(57)【要約】【課題】  専用の設置領域を必要とすることなく静電容量センサを設けることを可能とし、静電容量センサの設置領域のために携帯電話機の筐体が大型化する不都合を防止する。【解決手段】  互いにスライド移動可能に接続された第１の筐体１及び第２の筐体２の接続面部である、第１の筐体１の背面部側（表示部３が設けられている面部に対して反対側となる面部）に静電容量センサ１３を設ける。これにより、専用の設置領域を必要としないため、静電容量センサを設けることで携帯電話機の筐体が大型化する不都合を防止することができる。また、第２の筐体２に、常時、静電容量センサ１３と接触する導電部材１５を設ける。そして、静電容量センサ１３に対する導電部材の接触位置に基づいて、各筐体１，２のスライド位置を検出し、この検出したスライド位置に対応するアプリケーションプログラムを自動的に起動制御する。【選択図】  図１
2009253772.tif 000002
【特許請求の範囲】
【請求項１】
互いにスライド移動可能に接続された第１の筐体及び第２の筐体のうち、該第１の筐体の、上記各筐体の接続面部に設けられた静電容量センサと、
上記第１の筐体の接続面部に設けられた静電容量センサに対して接触するように、上記第２の筐体に固定して設けられた導電部材と、
複数のアプリケーションプログラムが記憶された記憶部と、
上記第１の筐体及び上記第２の筐体をスライド操作することで変化する、上記静電容量センサ上における上記導電部材の位置を検出する位置検出部と、
上記記憶部に記憶されている各アプリケーションプログラムのうち、上記位置検出部で検出された上記静電容量センサ上における上記導電部材の位置に対応するアプリケーションプログラムを起動制御する制御部と
を有する入力装置。
【請求項２】
上記第１の筐体の上記接続面部に対して反対側となる面部には、表示部及び第１の操作部が設けられており、
上記第１の筐体及び上記第２の筐体を開操作することで露出する、該第２の筐体の面部には第２の操作部が設けられており、
上記制御部は、上記導電部材の位置に対応するアプリケーションプログラムを起動制御した際に、上記第１の筐体の第１の操作部に対して、当該起動制御したアプリケーションプログラムに対応するメイン操作機能を割り当て、上記第２の筐体の露出している第２の操作部に対して、当該起動制御したアプリケーションプログラムに対応する補助操作機能を割り当てる
請求項１に記載の入力装置。
【請求項３】
上記制御部は、上記第１の筐体及び上記第２の筐体が連続的にスライド操作されることで、上記位置検出部により、上記静電容量センサ上における上記導電部材の連続的な位置の変化が検出された場合、上記起動制御したアプリケーションプログラムに基づいて上記表示部に表示している表示画面を、上記位置検出部により上記連続的な位置の変化が検出されている間、スクロール表示制御する
請求項１又は請求項２に記載の入力装置。
【請求項４】
互いにスライド移動可能に接続された第１の筐体及び第２の筐体のうち、該第１の筐体の、上記各筐体の接続面部に静電容量センサを設け、
上記第１の筐体の接続面部に設けられた静電容量センサに対して接触するように、上記第２の筐体に固定して導電部材を設け、
位置検出部により、上記第１の筐体及び上記第２の筐体をスライド操作することで変化する、上記静電容量センサ上における上記導電部材の位置を検出し、
制御部が、記憶部に記憶されている各アプリケーションプログラムのうち、上記位置検出部で検出された上記静電容量センサ上における上記導電部材の位置に対応するアプリケーションプログラムを起動制御する
入力方法。
【請求項５】
互いにスライド移動可能に接続された第１の筐体及び第２の筐体のうち、該第１の筐体の、上記各筐体の接続面部に静電容量センサを設けると共に、上記第１の筐体の接続面部に設けられた静電容量センサに対して接触するように、上記第２の筐体に固定して導電部材が設けられた携帯端末装置の入力制御プログラムであって、
上記第１の筐体及び上記第２の筐体をスライド操作することで変化する、上記静電容量センサ上における上記導電部材の位置を検出する位置検出部としてコンピュータを機能させ、
記憶部に記憶されている各アプリケーションプログラムのうち、コンピュータを上記位置検出部として機能させることで検出された上記静電容量センサ上における上記導電部材の位置に対応するアプリケーションプログラムを起動制御する制御部としてコンピュータを機能させる
携帯端末装置の入力制御プログラム。
【請求項６】
互いにスライド移動可能に接続された第１の筐体及び第２の筐体のうち、該第１の筐体の、上記各筐体の接続面部に設けられた静電容量センサと、
上記第１の筐体の接続面部に設けられた静電容量センサに対して接触するように、上記第２の筐体に固定して設けられた導電部材と、
複数のアプリケーションプログラムが記憶された記憶部と、
上記第１の筐体及び上記第２の筐体をスライド操作することで変化する、上記静電容量センサ上における上記導電部材の位置を検出する位置検出部と、
上記記憶部に記憶されている各アプリケーションプログラムのうち、上記位置検出部で検出された上記静電容量センサ上における上記導電部材の位置に対応するアプリケーションプログラムを起動制御する制御部と
を有する携帯端末装置。
【発明の詳細な説明】
【技術分野】
【０００１】
本発明は、上筐体及び下筐体が相互にスライド移動可能とされた、例えば携帯電話機、ＰＨＳ電話機（PHS：Personal Handyphone System）、ＰＤＡ装置（PDA：Personal Digital Assistant）、携帯ゲーム機等の携帯端末機器に適用して好適な入力装置、入力方法、入力制御プログラム、及び携帯端末装置に関し、特に、静電容量センサを設けることで機器が大型化する不都合を防止すると共に、筐体やニューメリックキー等のデザインが制約される不都合を防止した入力装置、入力方法、携帯端末装置の入力制御プログラム、及び携帯端末装置に関する。
【背景技術】
【０００２】
今日において、静電容量センサを用いた入力装置が知られている。例えば、特開２００７−１６４４７０号の公開特許公報（特許文献１）に開示されている入力装置の場合、表示パネルが設けられた筐体に、それぞれ静電容量センサを設けた第１の操作領域及び第２の操作領域を設けている。このうち、第２の操作領域は、ニューメリックキー上に設けられており、絶対座標出力を得るための領域となっている。また、第１の操作領域は、表示パネルとニューメリックキーとの間の領域に設けられており、相対座標出力を得るための領域となっている。
【０００３】
ユーザは、第１の操作領域に指を触れてスライドさせることにより、メニュー選択操作等を行い、第２の操作領域に指を触れてスライドさせることにより、文字入力操作を行うようになっている。これにより、静電容量センサを用いて、相対座標による入力、及び絶対座標による入力の双方を可能としている。
【０００４】
【特許文献１】特開２００７−１６４４７０号公報（第４頁〜第５頁、図１）
【発明の開示】
【発明が解決しようとする課題】
【０００５】
ここで、特許文献１に開示されている入力装置の場合、ニューメリックキーの押圧操作と、静電容量センサの接触操作との両方の入力操作を用いるアプリケーションプログラムに対しては、ニューメリックキーで押圧操作を行い、上記表示パネルとニューメリックキーとの間に設けられた第１の操作領域の静電容量センサで接触操作を行うことで、該アプリケーションプログラムに対応することとなる。
【０００６】
しかし、表示パネルとニューメリックキーとの間に静電容量センサを設けると、この静電容量センサの分（＝第１の操作領域の分）、この入力装置を設けた機器が大型化するうえ、機器のデザインも制約される問題を生ずる。
【０００７】
また、特許文献１に開示されている入力装置の場合、ニューメリックキー上に設けられた静電容量センサの操作性を確保するためには、ニューメリックキーを平坦なキーとする必要があり（＝凹凸の無いニューメリックキーを設ける必要があり）、このようなキーデザイン上の制約も受ける問題がある。
【０００８】
本発明は、上述の課題に鑑みてなされたものであり、静電容量センサを設けることで機器が大型化する不都合を防止すると共に、筐体やニューメリックキー等のデザインが制約される不都合を防止した入力装置、入力方法、携帯端末装置の入力制御プログラム、及び携帯端末装置の提供を目的とする。
【課題を解決するための手段】
【０００９】
本発明に係る入力装置は、上述の課題を解決するために、
互いにスライド移動可能に接続された第１の筐体及び第２の筐体のうち、該第１の筐体の、上記各筐体の接続面部に設けられた静電容量センサと、
上記第１の筐体の接続面部に設けられた静電容量センサに対して接触するように、上記第２の筐体に固定して設けられた導電部材と、
複数のアプリケーションプログラムが記憶された記憶部と、
上記第１の筐体及び上記第２の筐体をスライド操作することで変化する、上記静電容量センサ上における上記導電部材の位置を検出する位置検出部と、
上記記憶部に記憶されている各アプリケーションプログラムのうち、上記位置検出部で検出された上記静電容量センサ上における上記導電部材の位置に対応するアプリケーションプログラムを起動制御する制御部と
を有する。
【００１０】
また、本発明に係る入力方法は、上述の課題を解決するために、
互いにスライド移動可能に接続された第１の筐体及び第２の筐体のうち、該第１の筐体の、上記各筐体の接続面部に静電容量センサを設け、
上記第１の筐体の接続面部に設けられた静電容量センサに対して接触するように、上記第２の筐体に固定して導電部材を設け、
位置検出部により、上記第１の筐体及び上記第２の筐体をスライド操作することで変化する、上記静電容量センサ上における上記導電部材の位置を検出し、
制御部が、記憶部に記憶されている各アプリケーションプログラムのうち、上記位置検出部で検出された上記静電容量センサ上における上記導電部材の位置に対応するアプリケーションプログラムを起動制御する。
【００１１】
また、本発明に係る携帯端末装置の入力制御プログラムは、互いにスライド移動可能に接続された第１の筐体及び第２の筐体のうち、該第１の筐体の、上記各筐体の接続面部に静電容量センサを設けると共に、上記第１の筐体の接続面部に設けられた静電容量センサに対して接触するように、上記第２の筐体に固定して導電部材が設けられた携帯端末装置の入力制御プログラムであって、上述の課題を解決するために、
上記第１の筐体及び上記第２の筐体をスライド操作することで変化する、上記静電容量センサ上における上記導電部材の位置を検出する位置検出部としてコンピュータを機能させ、
記憶部に記憶されている各アプリケーションプログラムのうち、コンピュータを上記位置検出部として機能させることで検出された上記静電容量センサ上における上記導電部材の位置に対応するアプリケーションプログラムを起動制御する制御部としてコンピュータを機能させる。
【００１２】
また、本発明に係る携帯端末装置は、上述の課題を解決するために、
互いにスライド移動可能に接続された第１の筐体及び第２の筐体のうち、該第１の筐体の、上記各筐体の接続面部に設けられた静電容量センサと、
上記第１の筐体の接続面部に設けられた静電容量センサに対して接触するように、上記第２の筐体に固定して設けられた導電部材と、
複数のアプリケーションプログラムが記憶された記憶部と、
上記第１の筐体及び上記第２の筐体をスライド操作することで変化する、上記静電容量センサ上における上記導電部材の位置を検出する位置検出部と、
上記記憶部に記憶されている各アプリケーションプログラムのうち、上記位置検出部で検出された上記静電容量センサ上における上記導電部材の位置に対応するアプリケーションプログラムを起動制御する制御部と
を有する。
【００１３】
このような本発明は、互いにスライド移動可能に接続された第１の筐体及び第２の筐体のうち、該第１の筐体の、上記各筐体の接続面部に静電容量センサを設けている。このため、静電容量センサを設置するための専用の設置領域を必要としないため、筐体を大型化することなく静電容量センサを設けることができる。
【００１４】
また、上記各筐体の接続面部に静電容量センサを設けているため、筐体や本発明が適用される機器のデザインを制約することを防止することができる。また、ニューメリックキー等のキー操作部が設けられる面部に対して反対側の面部となる、上記各筐体の接続面部に静電容量センサを設けているため、当該静電容量センサを設けることでキーデザインが制約される不都合も防止することができる。
【００１５】
さらに、第１の筐体及び第２の筐体をスライド操作することで変化する、静電容量センサ上における導電部材の位置を検出し、この導電部材の位置に対応するアプリケーションプログラムを起動するようになっているため、第１の筐体及び第２の筐体のスライド位置を調整するだけで、所望のアプリケーションプログラムを起動可能とすることができる。
【発明の効果】
【００１６】
本発明は、第１の筐体及び第２の筐体の接続面部に静電容量センサを設けているため、静電容量センサを設置するための専用の設置領域を必要とせず、当該静電容量センサを設けたことで機器が大型化する不都合を防止することができる。
【００１７】
また、第１の筐体及び第２の筐体の接続面部に静電容量センサを設けているため、この静電容量センサを設けたことで、本発明が適用される機器のデザインが制約される不都合を防止することができる。
【００１８】
また、第１の筐体及び第２の筐体の接続面部に静電容量センサを設けているため、上記接続面部に対して反対側となる面部に設けられるニューメリックキー等のキー操作部のデザインが制約される不都合を防止することができる。
【発明を実施するための最良の形態】
【００１９】
本発明は、筐体のスライド開閉操作が可能な携帯電話機に適用することができる。
【００２０】
［携帯電話機の外観構成］
図１（ａ）に、当該実施の形態の携帯電話機の開状態時における正面図を、図１（ｂ）に、当該実施の形態の携帯電話機の開状態時における背面図をそれぞれ示す。図１（ａ）及び図１（ｂ）からわかるように、この実施の形態の携帯電話機は、略長方形状の第１の筐体１、及び同じく略長方形状の第２の筐体２を、該各筐体１，２の長手方向に沿ってスライド移動可能に接続することで形成されている。
【００２１】
第１の筐体１の正面部側には、液晶表示部や有機ＥＬ表示部（EL：Electro Luminescence）等の表示部３が設けられている。また、この第１の筐体１には、表示部３の下端部３ａと当該第１の筐体１の下端部１ａとの間に、第１の操作部４が設けられている。この第１の操作部４は、中心に設けられた決定キー５と、その周囲に設けられた十字キー６とを備えた複合キー７と、この複合キー７を挟んでそれぞれ設けられた複数のソフトキー８とを有している。
【００２２】
また、第１の筐体１の正面部側には、表示部３の上端部３ｂと当該第１の筐体１の上端部１ｂとの間に、受話音声等を出力するためのスピーカ部９と、例えばテレビ電話による通話時に当該携帯電話機のユーザを撮像する、いわゆる自分撮り用のカメラ部１０とが設けられている。
【００２３】
第２の筐体２の正面部側には、１〜０の数字キー、♯キー、＊キー、オンフックキー、オフフックキー等のニューメリックキーで形成された第２の操作部１１が設けられている。また、この第２の筐体２の正面部側には、上記第２の操作部１１と当該第２の筐体２の下端部２ａとの間に、送話音声等を集音するためのマイクロホン部１２が設けられている。
【００２４】
一方、図１（ｂ）において、第１の筐体１の背面部側（＝反表示部側＝第２の筐体２との接続面側）には、略長方形のシート状の静電容量センサ１３が設けられている。また、図１（ｂ）において、第２の筐体２の背面部側には、所望の被写体を撮像するためのメインカメラ部１４が設けられている。
【００２５】
また、この第２の筐体２の背面部側の上端部２ｂ近傍には、当該第２の筐体２の短手方向に沿って固定された導電部材１５が設けられている。この導電部材１５は、当該第２の筐体２内に設けられた回路基板の接地ポイントに接続されている。また、この導電部材１５は、上記第１の筐体１側に設けられた静電容量センサ１３と常時、接触するように設けられている。従って、各筐体１，２をスライド操作すると、静電容量センサ１３に対する導電部材１５の接触位置が変化するようになっている。そして、静電容量センサ１３は、この導電部材１５の接触位置の変化を、当該静電容量センサ１３上における静電容量の変化として検出するようになっている。
【００２６】
なお、この例では、第１の筐体１に静電容量センサ１３を設け、第２の筐体２に導電部材１５を設けることとしたが、これとは反対に、第２の筐体２に静電容量センサ１３を設け、第１の筐体１に導電部材１５を設けるようにしてもよい。
【００２７】
［携帯電話機の電気構成］
次に、図２に、この実施の形態の携帯電話機のブロック図を示す。この図２に示すように、この実施の形態の携帯電話機は、基地局との間で音声通話、テレビ電話通話、電子メール、Ｗｅｂデータ（Web：World Wide Web）等の無線通信を行うアンテナ２１及び通信回路２２と、受話音声等を出力するための上記スピーカ部９と、送話音声等を集音するための上記マイクロホン部１２と、操作メニュー、電子メール、画像（静止画像及び動画像）等を表示するための上記表示部３と、上記第１及び上記第２の操作部４，１１と、発着信等をユーザに光で通知するための発光部２３（ＬＥＤ）とを有している。
【００２８】
また、この携帯電話機は、所望の被写体の静止画像或いは動画像を撮像するための上記カメラ部１０，１４と、当該携帯電話機の筐体を振動させて発着信等をユーザに通知するためのバイブレーションユニット２４と、時刻をカウントするタイマ２５と、第１の筐体１の上記接続面側に設けられた静電容量センサ１３と、この静電容量センサ１３に常時接触するように第２の筐体２に固定して設けられた導電部材１５と、上記基地局を介した無線通信処理を行うためのコミュニケーションプログラムや各種アプリケーションプログラムの他、これら各アプリケーションプログラムで取り扱われる各種データ等が記憶されたメモリ２６と、当該携帯電話機全体の動作を制御する制御部２７とを有している。
【００２９】
メモリ２６には、上記コミュニケーションプログラムの他、各筐体１，２のスライド位置に対応するアプリケーションプログラムを起動制御するためのアプリケーション制御プログラムと、カメラ部１０，１４の撮像制御を行うためのカメラ制御プログラムと、電子メールの作成や送受信を制御するための電子メール管理プログラムと、ユーザのスケジュールが登録されたスケジュール帳の管理を行うためのスケジュール帳管理プログラムと、コミュニケーションネットワークやインターネット等の所定のネットワーク上に設けられたサーバ装置上で公開されているＷｅｂページを閲覧するためのＷｅｂブラウジングプログラムと、電話帳の管理を行うための電話帳管理プログラムと、音楽データの再生を行うための音楽プレーヤプログラムと、所定のゲームプログラム等が記憶されている。
【００３０】
また、メモリ２６には、ユーザの所望のスケジュールが登録されるスケジュール帳と、ユーザの知人や友人等のユーザ名、静止画像（顔写真等）、住所、電話番号、電子メールアドレス、生年月日等が登録された電話帳と、音楽プレーヤプログラムに基づいて再生される音楽データと、カメラ制御プログラムのビューワ機能に基づいて再生される静止画像データ及び動画像データと、送受信された電子メールデータと、電話及び電子メールの発着信履歴等が記憶されている。
【００３１】
［スライド位置に対応したアプリケーションプログラムの自動起動］
このような実施の形態の携帯電話機は、各筐体１，２のスライド位置に対応したアプリケーションプログラムが自動的に起動されるようになっている。
【００３２】
〔アプリケーションプログラムの登録動作〕
まず、このようなスライド位置に対応したアプリケーションプログラムの自動起動を可能とするためには、各筐体１，２のスライド位置と、該各スライド位置に対応するアプリケーションプログラムとを関連付けて登録する必要がある。なお、この例では、以下に説明するように、ユーザが各筐体１，２のスライド位置と、該各スライド位置に対応するアプリケーションプログラムとを予め関連付ける操作を行うこととして説明を進めるが、当該携帯電話機の製造者等が、各筐体１，２のスライド位置と、該各スライド位置に対応するアプリケーションプログラムとの関連付けを行ったうえで、当該携帯電話機を出荷するようにしてもよい。この場合は、以下に説明するユーザにより関連付け操作は不要となる。
【００３３】
この関連付け操作を行う場合、ユーザは、当該携帯電話機の設定メニューの中からスライド位置とアプリケーションプログラムとの関連付けのメニュー項目を選択する。このメニュー項目の選択がなされると、制御部２７は、例えば図３に示すような各筐体１，２のスライド位置に対応する静電容量センサ１３上の導電部材１５の位置を示す模式図を表示部３に表示制御する。そして、制御部２７は、各導電部材１５の位置毎にアプリケーションプログラムの一覧を表示し、ユーザにより、この一覧の中から、その導電部材１５の位置（＝各筐体１，２のスライド位置）に対応するアプリケーションプログラムが選択されると、当該導電部材１５の位置とユーザにより選択されたアプリケーションプログラムを示す情報とを関連付けてメモリ２６に登録するようになっている。
【００３４】
この図３に示す例は、各筐体１，２のスライド位置として、静電容量センサ１３上に第１の位置（＝第１のポジション）〜第４の位置（＝第４のポジション）が形成されている例であり、このうち、第１のポジションにはカメラ機能がユーザにより割り当てられ、第２のポジションにはＷｅｂブラウザ機能がユーザにより割り当てられ、第３のポジションには音楽プレーヤ機能がユーザにより割り当てられ、第４のポジションにはゲーム機能がユーザにより割り当てられたことを意味している。このような各筐体１，２のスライド位置と、該各スライド位置に対応するアプリケーションプログラムを関連付けて登録すると、制御部２７は、以下に説明するように各筐体１，２のスライド位置に応じて、当該スライド位置に対応するアプリケーションプログラムを自動的に起動制御する。
【００３５】
〔スライド位置に対応したアプリケーションプログラムの自動起動動作〕
図４のフローチャートに、各スライド位置に対応するアプリケーションプログラムの自動起動動作の流れを示す。制御部２７は、上述のアプリケーションプログラムの登録後に、図１に示す決定キー５の押圧操作を検出すると、メモリ２６に記憶されているアプリケーション制御プログラムに基づいて、この図４のフローチャートに示し処理を開示する。なお、この例では、制御部２７は、決定キー５の押圧操作を検出したタイミングで処理を開始することとしたが、静電容量センサ１３上の導電部材１５の位置の変化（＝各筐体１，２のスライド操作）を検出したタイミングで、この図４のフローチャートに示す処理を開始してもよい。
【００３６】
ステップＳ１では、制御部２７が、静電容量センサ１３から位置検出出力を取り込むことで、静電容量センサ１３上における導電部材１５の位置を介して、各筐体１，２のスライド位置を検出する。具体的には、各筐体１，２をスライド操作すると、導電部材１５が位置している静電容量センサ１３上の部分的な静電容量が変化する。このため、静電容量センサ１３は、この部分的に静電容量が変化した位置を、導電部材１５の現在の位置として検出し、この位置検出出力を制御部２７に供給する。制御部２７は、この静電容量センサ１３からの位置検出出力に基づいて、各筐体１，２のスライド位置を検出する。
【００３７】
ステップＳ２では、制御部２７が、上記静電容量センサ１３からの位置検出出力に基づいて検出した各筐体１，２のスライド位置は、例えば図３を用いて説明した第１のポジションであるか否かを判別する。
【００３８】
すなわち、この各筐体１，２のスライド位置が第１のポジションである状態は、図５（ａ）及び図５（ｂ）に示すように各筐体１，２が完全に重なっている状態（＝当該携帯電話機の閉状態）を意味している。この場合、図５（ｂ）に示すように導電部材１５は、静電容量センサ１３の上端部近辺に位置することとなる。このため、この場合、制御部２７は、静電容量センサ１３から、上記上端部近辺に導電部材１５が位置していることを示す位置検出出力を取り込むこととなる。そして、制御部２７は、この上端部近辺に導電部材１５が位置していることを示す位置検出出力を静電容量センサ１３から取り込んだ場合には、ステップＳ２において、各筐体１，２のスライド位置は第１のポジションであると判別し、処理をステップＳ７に進める。
【００３９】
図３を用いて説明したように、この例の場合、各筐体１，２の第１のポジションには、カメラ機能が関連付けられて登録されている。このため、制御部２７は、各筐体１，２のスライド位置は第１のポジションであると判別することで処理をステップＳ７に進めると、メモリ２６に記憶されている各アプリケーションプログラムのうち、カメラ制御プログラムを起動して、この図４のフローチャートに示す全処理を終了する。
【００４０】
これにより、ユーザは、以後、第１の操作部４に設けられている各キーを操作して所望の被写体等を撮像することとなる。そして、制御部２７は、このユーザの撮像操作に対応する撮像制御を、上記カメラ制御プログラムに基づいて実行することとなる。
【００４１】
次に、ステップＳ２において、各筐体１，２のスライド位置は第１のポジションではないものと判別することで処理をステップＳ３に進めると、制御部２７は、各筐体１，２のスライド位置は、図３を用いて説明した上記第１のポジションの一段階下の第２のポジションであるか否かを判別する。
【００４２】
この各筐体１，２のスライド位置が第２のポジションである状態は、図６（ａ）に示すように第２の操作部１１の各キーのうち、一番下の行のキーが露出した状態で、図６（ｂ）に示すように第２の筐体２の上端部２ｂから多少、静電容量センサ１３が露出した状態を意味している。制御部２７は、上述のように、導電部材１５が位置している静電容量センサ１３上の位置検出出力に基づいて、各筐体１，２のスライド位置を判別する。そして、ステップＳ３において、各筐体１，２のスライド位置が第２のポジションであると判別すると、処理をステップＳ８に進める。
【００４３】
図３を用いて説明したように、この例の場合、各筐体１，２の第２のポジションには、Ｗｅｂブラウザ機能が関連付けられて登録されている。このため、制御部２７は、各筐体１，２のスライド位置は第２のポジションであると判別すると、ステップＳ８において、メモリ２６に記憶されている各アプリケーションプログラムのうち、Ｗｅｂブラウジングプログラムを起動して、この図４のフローチャートに示す全処理を終了する。
【００４４】
（補助機能の割り当て動作）
ここで、制御部２７は、各筐体１，２のスライド位置に応じて、下筐体２に設けられている第２の操作部１１の各キーのうち、露出するキーが存在する場合、第１の筐体１の第１操作部４に対して、この起動したアプリケーションプログラムに対応するメイン操作機能を割り当てると共に、上記露出した第２の操作部１１のキーに対して、起動したアプリケーションプログラムの補助機能を割り当てるようになっている。
【００４５】
すなわち、この例の場合、各筐体１，２のスライド位置が第２のポジションであり、第２の操作部１１の各キーのうち、一番下の行のキーが露出した状態となる。このため、制御部２７は、図６（ａ）に示すように第１の筐体１の第１操作部４に対して、この起動したアプリケーションプログラムに対応するメイン操作機能を割り当てると共に、上記露出した第２の操作部１１のキーに対して、起動したアプリケーションプログラムの補助機能を割り当てるようになっている。
【００４６】
一例ではあるが、この場合、制御部２７は、図６（ａ）に示すように露出した第２の操作部１１の３つのキーのうち、左側のキーにＷｅｂページの次ページの表示を指定するための「進む」の補助機能を割り当て、真ん中のキーにＷｅｂページの前ページの表示を指定するための「戻る」の補助機能を割り当て、右側のキーに登録済みのＷｅｂページのＵＲＬの表示を指定するための「ブックマークを開く」の補助機能を割り当てる。
【００４７】
これにより、ユーザは、以後、第１の操作部４に設けられている各キーや、上記補助機能が割り当てられた第２の操作部１１の各キー、及び図６（ｂ）に示すように露出している静電容量センサ１３を接触操作して、所望のＷｅｂページの閲覧等を行うこととなる。そして、制御部２７は、このユーザのキー操作に対応するＷｅｂページの閲覧制御を、上記Ｗｅｂブラウジングプログラムに基づいて実行することとなる。
【００４８】
図１に示すように第２の操作部１１の全てのキーが露出している状態であると、キーの数が多いことからユーザが操作を理解し難くなり、また、キーの押し間違え等の誤操作も多くなる恐れがある。これに対して、図６（ａ）に示すように露出するキーが少なくなり、操作可能なキーが制限されるため、ユーザが操作を理解し易くなり、また、キーの押し間違え等の誤操作も極力防止可能とすることができる。
【００４９】
また、各筐体１，２のスライド位置を第２のポジションとした場合、図６（ｂ）に示すように静電容量センサ１３の露出する面積は、図６（ｂ）中、矢印で示すように当該携帯電話機の短手方向のスライド接触操作のみが可能な面積となる。このため、ユーザは、この短手方向のスライド接触操作により、表示部３に表示されている表示画面を直感的に左右にスクロール操作しながら閲覧することも可能となる。従って、第１の操作部４、第２の操作部１１のうち、露出しているキー、及び静電容量センサ１３のうち、露出している部分を操作して、Ｗｅｂページの快適な閲覧操作を可能とすることができる。
【００５０】
次に、ステップＳ３において、各筐体１，２のスライド位置は第２のポジションではないものと判別することで処理をステップＳ４に進めると、制御部２７は、各筐体１，２のスライド位置は、図３を用いて説明した上記第２のポジションの一段階下の第３のポジションであるか否かを判別する。
【００５１】
この各筐体１，２のスライド位置が第３のポジションである状態は、図７（ａ）に示すように第２の操作部１１の各キーのうち、一番下の行の各キー、及びこの一番下の行から数えて２つ目の行の各キーがそれぞれ露出した状態で、図７（ｂ）に示すように第２の筐体２の上端部２ｂから静電容量センサ１３の略半分程度が露出した状態を意味している。制御部２７は、上述のように、導電部材１５が位置している静電容量センサ１３上の位置検出出力に基づいて、各筐体１，２のスライド位置を判別する。そして、ステップＳ４において、各筐体１，２のスライド位置が第３のポジションであると判別すると、処理をステップＳ９に進める。
【００５２】
図３を用いて説明したように、この例の場合、各筐体１，２の第３のポジションには、音楽プレーヤ機能が関連付けられて登録されている。このため、制御部２７は、各筐体１，２のスライド位置は第３のポジションであると判別すると、ステップＳ９において、メモリ２６に記憶されている各アプリケーションプログラムのうち、音楽プレーヤプログラムを起動して、この図４のフローチャートに示す全処理を終了する。
【００５３】
この場合も制御部２７は、下筐体２に設けられている第２の操作部１１の各キーのうち、露出するキーが存在するため、第１の筐体１の第１操作部４に対して、この起動した音楽プレーヤプログラムに対応するメイン操作機能を割り当てると共に、上記露出した第２の操作部１１の各キーに対して、例えばノーマル再生及びシャッフル再生のいずれかの再生モードを選択するための補助機能（再生モード選択機能）、全曲繰り返し再生及び１曲繰り返し再生のうち、いずれかの繰り返し再生モードを選択するための補助機能（リピート再生選択機能）、サラウンド再生のオン／オフを選択するための補助機能（サラウンド選択機能）、ヘッドホン装置やイヤホン装置の出力音量の上限を設定するための補助機能（ＡＶＬＳ機能（AVLS：Automatic Volume Limiter System））等の各種補助機能を割り当てる。
【００５４】
これにより、ユーザは、以後、第１の操作部４に設けられている各キーや、上記補助機能が割り当てられた第２の操作部１１の各キー、及び図７（ｂ）に示すように露出している静電容量センサ１３を接触操作して、所望の音楽データを再生操作することとなる。そして、制御部２７は、このユーザのキー操作に対応する音楽データの再生制御を、上記音楽プレーヤプログラムに基づいて実行することとなる。
【００５５】
次に、ステップＳ４において、各筐体１，２のスライド位置は第３のポジションではないものと判別することで処理をステップＳ５に進めると、制御部２７は、各筐体１，２のスライド位置は、図３を用いて説明した上記第３のポジションの一段階下の第４のポジションであるか否かを判別する。
【００５６】
この各筐体１，２のスライド位置が第４のポジションである状態は、図８（ａ）に示すように第２の操作部１１の各キーのうち、一番下の行の各キー、この一番下の行から数えて２つ目の行の各キー、及び一番下の行から数えて３つ目の行の各キーがそれぞれ露出した状態で、図８（ｂ）に示すように第２の筐体２の上端部２ｂから静電容量センサ１３の略４／５程度が露出した状態を意味している。制御部２７は、上述のように、導電部材１５が位置している静電容量センサ１３上の位置検出出力に基づいて、各筐体１，２のスライド位置を判別する。そして、ステップＳ５において、各筐体１，２のスライド位置が第４のポジションであると判別すると、処理をステップＳ６に進める。
【００５７】
図３を用いて説明したように、この例の場合、各筐体１，２の第４のポジションには、ゲーム機能が関連付けられて登録されている。このため、制御部２７は、各筐体１，２のスライド位置は第４のポジションであると判別すると、ステップＳ６において、メモリ２６に記憶されている各アプリケーションプログラムのうち、ゲームプログラムを起動して、この図４のフローチャートに示す全処理を終了する。
【００５８】
また、この場合も制御部２７は、下筐体２に設けられている第２の操作部１１の各キーのうち、露出するキーが存在するため、第１の筐体１の第１操作部４に対して、この起動したゲームプログラムに対応するメイン操作機能を割り当てると共に、上記露出した第２の操作部１１の各キーに対して、例えばそのゲームプログラムのＢＧＭ設定（BGM：BackGround Music）や、キャラクタ設定等の各種補助機能を割り当てる。
【００５９】
これにより、ユーザは、以後、第１の操作部４に設けられている各キーや、上記補助機能が割り当てられた第２の操作部１１の各キー、及び図８（ｂ）に示すように露出している静電容量センサ１３を接触操作して、ゲーム操作を行うこととなる。そして、制御部２７は、このユーザのキー操作に対応するゲームの実行制御を、上記ゲームプログラムに基づいて実行することとなる。
【００６０】
なお、制御部２７は、上記ステップＳ５において、各筐体１，２のスライド位置が第４のポジションではないものと判別した場合、処理をステップＳ１に戻し、再度、静電容量センサ１３に対する導電部材１５の接触位置に基づいて、各筐体１，２のスライド位置を検出する処理を行う。
【００６１】
また、図１に示すように各筐体１，２が全開状態となった際のポジションを第５のポジションとして検出し、この第５のポジションを検出した際に、制御部２７は、例えば電子メールアプリケーションプログラムを起動制御してもよい。
【００６２】
〔連続スライド操作による表示画面のスクロール動作〕
次に、制御部２７は、各筐体１，２のスライド位置に対応するアプリケーションプログラムを起動制御すると、当該アプリケーションプログラムを実行制御している間、ユーザによる各筐体１，２の上下の連続的なスライド操作（各筐体１，２を短時間の間に複数回上下にスライド移動させる操作）の有無を監視する。そして、この連続的なスライド操作を検出した場合、該連続的なスライド操作を検出している間、制御部２７は、表示部３に表示している、当該実行中のアプリケーションプログラムに対応する表示画面をスクロール制御する。
【００６３】
スクロールの方向は十字キー６の上下左右の各キーを押圧操作して指定するようになっており、例えば十字キー６の右キーを押圧操作しながら（或いは押圧操作した後に）、各筐体１，２が連続的にスライド操作された場合、制御部２７は、このスライド操作がなされている間、右方向に表示画面をスクロール表示制御する。また、十字キー６の左キーを押圧操作しながら各筐体１，２を連続的にスライド操作すると、制御部２７は、このスライド操作がなされている間、左方向に表示画面をスクロール表示制御する。
【００６４】
同様に、十字キー６の下キーを押圧操作しながら各筐体１，２を連続的にスライド操作すると、制御部２７は、このスライド操作がなされている間、下方向に表示画面をスクロール表示制御する。また、十字キー６の上キーを押圧操作しながら各筐体１，２を連続的にスライド操作すると、制御部２７は、このスライド操作がなされている間、上方向に表示画面をスクロール表示制御する。
【００６５】
これにより、ユーザは、例えばＷｅｂページの閲覧中に表示画面をスクロール操作したい場合には、各筐体１，２を連続的に上下にスライド操作することで、制御部２７のスクロール表示制御により、表示画面のスクロール表示を得ることができる。
【００６６】
［実施の形態の効果］
以上の説明から明らかなように、この実施の形態の携帯電話機は、以下の効果を得ることができる。
【００６７】
１．第１の筐体１及び第２の筐体２の接続面部に静電容量センサ１３を設けているため、静電容量センサ１３を設置するための専用の設置領域を必要とせず、当該携帯電話機の各筐体１，２を大型化することなく静電容量センサ１３を設けることを可能とすることができる。
【００６８】
２．第１の筐体１及び第２の筐体２の接続面部に静電容量センサ１３を設けているため、この静電容量センサ１３により当該携帯電話機のデザインが制約されることがなく、該携帯電話機を自由にデザインすることを可能とすることができる。
【００６９】
３．第１の筐体１及び第２の筐体２の接続面部に静電容量センサ１３を設けているため、上記接続面部に対して反対側となる面部に設けられるニューメリックキー等の第２のキー操作部１１のキーデザインが制約される不都合を防止することができる。
【００７０】
４．静電容量センサ１３を各筐体１，２の開閉検出（＝スライド位置検出）に用いているため、この開閉検出に従来用いられていたＭＲセンサ（MR：MagnetoResistance＝磁気センサ）を省略することができ、当該携帯電話機の部品点数の削減を通じて低コスト化を図ることができる。
【００７１】
５．第１及び第２の操作部４，１１と静電容量センサ１３とが物理的に分離されて設けられているため、各操作部４，１１のキー入力、及び静電容量センサ１３のスライド接触入力の、両方の入力を用いるアプリケーションプログラムに当該携帯電話機を対応可能とすることができる。
【００７２】
６．第１の筐体１及び第２の筐体２のスライド位置によっては（例えば、図６に示した第２のポジションのスライド位置）、該第２の筐体２に設けられている第２の操作部１１の各キーのうち、露出するキーが少なくなるうえ、第１の筐体１の第１の操作部４には、起動したアプリケーションプログラムのメイン操作機能を割り当て、第２の筐体２の第２の操作部１１の露出しているキーには、起動したアプリケーションプログラムの補助操作機能を割り当てているため、ユーザが操作可能なキーを容易に認識することができるうえ、該キー操作の容易化を図ることができ、キーの押し間違い等の誤入力も極力防止可能とすることができる。
【００７３】
７．アプリケーションプログラムの実行中に各筐体１，２の連続的なスライド操作を検出した場合、制御部２７は、当該アプリケーションプログラムの表示画面をスクロール表示制御する。これにより、ユーザは、各筐体１，２を連続的にスライド操作するだけで、制御部２７のスクロール表示制御により、簡単に表示画面のスクロール表示を得ることができる。
【００７４】
［変形例］
上述の実施の形態は、本発明を携帯電話機に適用した例であったが、本発明は、この他、スライド開閉操作を行う筐体を備えた機器であれば、例えばＰＨＳ電話機（PHS：Personal Handyphone System）、ＰＤＡ装置（PDA：Personal Digital Assistant）、携帯ゲーム機、デジタルカメラ装置等の携帯機器に適用してもよい。いずれの場合も、上述と同じ効果を得ることができる。
【００７５】
最後に、本発明は、一例として説明した上述の実施の形態に限定されることはなく、本発明に係る技術的思想を逸脱しない範囲であれば、設計等に応じて種々の変更が可能であることは勿論であることを付け加えておく。
【図面の簡単な説明】
【００７６】
【図１】本発明を適用した実施の形態となる携帯電話機の外観を示す図である。
【図２】実施の形態の携帯電話機のブロック図である。
【図３】実施の形態の携帯電話機における、筐体のスライド位置と、該各スライド位置に割り当てられているアプリケーションプログラムの一例を示す図である。
【図４】実施の形態の携帯電話機における筐体のスライド位置検出と、この検出したスライド位置に対応するアプリケーションプログラムの自動起動制御を説明するためのフローチャートである。
【図５】第１のポジションにおける当該実施の形態の携帯電話機の外観を示す図である。
【図６】第２のポジションにおける当該実施の形態の携帯電話機の外観を示す図である。
【図７】第３のポジションにおける当該実施の形態の携帯電話機の外観を示す図である。
【図８】第４のポジションにおける当該実施の形態の携帯電話機の外観を示す図である。
【符号の説明】
【００７７】
１  第１の筐体、２  第２の筐体、３  表示部、４  第１の操作部、５  決定キー、６  十字キー、７  複合キー、８  ソフトキー、９  スピーカ部、１０  自分撮り用のカメラ部、１１  第２の操作部、１２  マイクロホン部、１３  静電容量センサ、１４  メインカメラ部、１５  導電部材、２１  アンテナ、２２  通信回路、２３  発光部（ＬＥＤ）、２４  バイブレーションユニット、２５  タイマ、２６  メモリ、２７  制御部
【図１】
2009253772.tif 000003
【図２】
2009253772.tif 000004
【図３】
2009253772.tif 000005
【図４】
2009253772.tif 000006
【図５】
2009253772.tif 000007
【図６】
2009253772.tif 000008
【図７】
2009253772.tif 000009
【図８】
2009253772.tif 000010